(57)【要約】      （修正有）【課題】住人の出入口下端に至る斜面が形成された構造において、出入口下端部分により高い防水構造を構築するとともに、簡易に設置可能で適応性の高い防水部材を提供する。【解決手段】出入口と、この出入口の下端Ｇの高さに達するように上昇する斜面Ｅ３と、を有する建築構造において、防水部材は、斜面Ｅ３の出入口側の端部と、この出入口の下端Ｇとの間には、間口方向に延びる凹状の溝部Ｅ５が形成されており、出入口よりも躯体内部側から、出入口の下方及び溝部Ｅ５の底面の上面を通って、斜面Ｅ３の出入口側の端部に至るよう敷設されている。【選択図】図１
2015135007.tif 000002
【特許請求の範囲】
【請求項１】
出入口と、該出入口の下端の高さに達するように上昇する斜面と、を有する建築構造において、
前記斜面の前記出入口側の端部と、前記出入口の下端との間には、間口方向に延びる凹状の溝部が形成されており、
前記出入口よりも躯体内部側から、前記出入口の下方及び前記溝部の底面の上面を通って、前記斜面の前記出入口側の端部に至るよう敷設されていることを特徴とする防水部材。
【請求項２】
前記防水部材は、
前記出入口よりも躯体内部側から、前記出入口の下方を通って、前記溝部の底面の上面に延びる第一部品と、
前記斜面の前記出入口側の端部から、前記溝部の底面の上面に延びる第二部品と、
を組み合わせて構成されていることを特徴とする請求項１に記載の防水部材。
【請求項３】
前記出入口の下端には、沓摺部材が敷設されており、
前記第一部品は、前記沓摺部材の下方に延在する第一部品躯体内装部と、該第一部材躯体内装部から前記溝部方向へ延出する第一部品被接合部と、を有して構成されており、
該第一部品接合部には、前記第一部品躯体内装部より前記溝部の底面上へ延出する第一部品被接合底面壁が備えられ、
前記第二部品は、前記斜面の前記出入口側の端部に載置される第二部品フランジ部と、該第二部品フランジ部から前記溝部の外側内壁面に沿って垂下する第二部品前面壁と、該第二部品前面壁から前記溝部の底面上に延出する第二部品底面壁と、を有して構成されており、
前記第一部品被接合底面壁と前記第二部品底面壁とは、前記溝部の底面上面において積層されていることを特徴とする請求項２に記載の防水部材。
【請求項４】
前記第一部品には、該第一部品を間口方向に分断する切れ目が形成されており、
当該切れ目部分により、前記第一部品の間口方向の長さが調整可能となるよう構成されていることを特徴とする請求項２又は請求項３に記載の防水部材。
【請求項５】
前記第一部品は樹脂にて構成されており、
前記第一部品の一部を切断、及び屈曲させることにより、所定の形状を構成することが可能となるよう構成されていることを特徴とする請求項２乃至請求項３いずれか一項に記載の防水部材。
【発明の詳細な説明】
【技術分野】
【０００１】
本発明は、住居の出入口下端に至る斜面が形成された構造において、出入口下端部分の防水構造を構築する防水部材に関するものである。
【背景技術】
【０００２】
住居の出入口には、その出入口に至るように斜面が形成されている場合がある。
つまり、出入口の下端部に段差が形成されず、緩やかに出入口下端部に到達するように斜面が形成されている場合がある。
このような場合、出入口の下端部に防水構造が採られているのが一般的である（例えば、特許文献１乃至特許文献３参照）。
【０００３】
特許文献１においては、網戸レールと、ベランダやバルコニー等の斜面アプローチ、の間に架橋材を設け、その下部に排水用の溝を設けている。
しかし、架橋材上部に到達した水（例えば、雨水等）は、その幅方向両側から排水用の溝に落とし込まれることとなるため、排水効率が悪い。
このため、特許文献２においては、バルコニーの出入口となるサッシ下端と、バルコニー床の端部と、の間に、グレーチング等の水を透す踏板を設け、その下部に排水溝を設けている。
また、特許文献３においても同様に、サッシ下端部と斜面端部との間に補填される補助枠材が使用され、この補助枠材天面には孔が形成されている。
このように構成されると、踏板上部に到達した水は、踏板から排水溝に落とし込まれる。
【先行技術文献】
【特許文献】
【０００４】
【特許文献１】特許第３５７９１６８号公報
【特許文献２】特開２００２−２９４８５７号公報
【特許文献３】特開平１０−０３７６２２号公報
【発明の概要】
【発明が解決しようとする課題】
【０００５】
このように、従来の技術においては、出入口の下端部と、斜面端部との間に形成された空間を防水するための技術が提案されているが、当該箇所に対し、更に高い防水性の構築が求められていた。
また、簡易に形成可能で被取付部に対する適応性がよく、作業性の高い防水部材の開発が望まれていた。
【０００６】
本発明の目的は、上記各問題点を解決することにあり、住居の出入口下端に至る斜面が形成された構造において、出入口下端部分により高い防水構造を構築するとともに、簡易に設置可能で適応性の高い防水部材を提供することにある。
【課題を解決するための手段】
【０００７】
上記課題は、請求項１に係る防水部材によれば、出入口と、該出入口の下端の高さに達するように上昇する斜面と、を有する建築構造において、前記斜面の前記出入口側の端部と、前記出入口の下端との間には、間口方向に延びる凹状の溝部が形成されており、前記出入口よりも躯体内部側から、前記出入口の下方及び前記溝部の底面の上面を通って、前記斜面の前記出入口側の端部に至るよう敷設されていることにより解決される。
【０００８】
このように構成されているため、出入口の下端の高さに達するように上昇する斜面の出入口側の端部と、出入口の下端と、の間に形成された凹状の溝部周りをより確実に防水することができる。
つまり、本発明に係る防水部材は、出入口よりも躯体内部側から、出入口の下方及び溝部の底面の上面を通って、斜面の出入口側の端部に至るよう敷設されているため、溝部周辺を確実に防水することが可能となる。
なお、本発明に係る防水部材の下方には、防水シート等が敷設されていると、更に防水上好適である。
なお、「躯体内」とは、例えば「屋内側」というような、「屋外」と比較した広い意味を指す。
これは、以下、全体において同様である。
【０００９】
このとき、具体的には、請求項２に記載されたように、前記防水部材は、前記出入口よりも躯体内部側から、前記出入口の下方を通って、前記溝部の底面の上面に延びる第一部品と、前記斜面の前記出入口側の端部から、前記溝部の底面の上面に延びる第二部品と、を組み合わせて構成されているよう構成されていると好適である。
このように分割して構成されているため、間口方向と鉛直な方向のサイズを調整することが可能となり好適である。
【００１０】
また、具体的な構成としては、請求項３に記載されたように、前記出入口の下端には、沓摺部材が敷設されており、前記第一部品は、前記沓摺部材の下方に延在する第一部品躯体内装部と、該第一部材躯体内装部から前記溝部方向へ延出する第一部品被接合部と、を有して構成されており、該第一部品接合部には、前記第一部品躯体内装部より前記溝部の底面上へ延出する第一部品被接合底面壁が備えられ、前記第二部品は、前記斜面の前記出入口側の端部に載置される第二部品フランジ部と、該第二部品フランジ部から前記溝部の外側内壁面に沿って垂下する第二部品前面壁と、該第二部品前面壁から前記溝部の底面上に延出する第二部品底面壁と、を有して構成されており、前記第一部品被接合底面壁と前記第二部品底面壁とは、前記溝部の底面上面において積層されている。
このように構成されているため、溝部の底面上面において、前記第一部品被接合底面壁と前記第二部品底面壁との積層範囲を調整することで、間口方向と鉛直な方向のサイズを調整することが可能となり、柔軟にサイズ対応することができる。
また、二重になっている箇所では、より確実に防水機能を奏することができる。
【００１１】
また、このとき、請求項４に記載されたように、前記第一部品には、該第一部品を間口方向に分断する切れ目が形成されており、当該切れ目部分により、前記第一部品の間口方向の長さが調整可能となるよう構成されていると好適である。
更には、このとき、前記第一部品は樹脂にて構成されており、前記第一部品の一部を切断、及び屈曲させることにより、所定の形状を構成することが可能となると好適である。
【００１２】
このように構成されていると、間口のサイズに応じて、第一部品のサイズを調整することが可能となり、現場において、柔軟にサイズ対応することができる。
また、第一部品を樹脂で構成し、所定部分を切断したり折り曲げたりすることにより、立体形状を形成できるよう構成していると、簡易に第一部品を作成することが可能となるため、更に現場における微調整等が容易になる。
よって、適応性の高い防水部材が提供されることとなる。
なお、第一部品のみではなく、第二部品もまた樹脂にて構成されていてもよく、このように構成されていると、より柔軟に形状及びサイズへの対応を行うことが容易となる。
【発明の効果】
【００１３】
本発明によれば、住人の出入口下端に至る斜面が形成された構造において、出入口下端部分の防水性をより高く構築することができる。
また、間口方向及び当該間口方向と垂直な方向に対し、サイズ調整を行うことが可能となり、柔軟にサイズ適応することができる。
また、成形が容易であり、簡易に設置可能で適応性の高い防水部材を提供することができる。
【図面の簡単な説明】
【００１４】
【図１】本発明の一実施形態に係る防水部材の適用箇所を示す上面視説明図である。
【図２】本発明の一実施形態に係る防水部材の斜視図である。
【図３】本発明の一実施形態に係る防水部材の分解図である。
【図４】本発明の一実施形態に係る第一部品の組立説明図である。
【図５】図４のＢ−Ｂ線断面図及びＣ−Ｃ線断面図である。
【図６】図１のＡ−Ａ線断面図である。
【発明を実施するための形態】
【００１５】
以下、本発明の一実施形態を図面に基づいて説明する。
なお、以下に説明する構成は本発明を限定するものではなく、均等範囲を含むことはもちろんのこと、本発明の趣旨の範囲内で種々改変することができるものである。
本実施形態は、出入口（例えば、玄関ドア、サッシ扉等）に至るスロープが形成された構造において、当該スロープ端部と出入口下端部との間を確実に防水することを可能とした防水部材に関するものである。
【００１６】
図１乃至図６は、本発明に係る一実施形態を示すものであり、図１は防水部材の適用箇所を示す上面視説明図、図２は防水部材の斜視図、図３は防水部材の分解図、図４は第一部品の組立説明図、図５は図４のＢ−Ｂ線断面図及びＣ−Ｃ線断面図、図６は図１のＡ−Ａ線断面図である。
【００１７】
本実施形態においては、共用廊下等から住居側へ後退するように凹を形成する所謂「アルコープ」が備えられている玄関において、玄関ドア下端部の防水に対して本発明を適用して例を示す。
しかしながら、これに限られるものではなく、例えば、ベランダ、ポーチ、テラス等において、出入口として例えば、サッシ扉等が使用されていてもよく、つまり、本発明の趣旨を逸脱しない範囲でどのような構成であってもよい。
【００１８】
図１に、本実施形態に係る防水部材Ｓが使用される場所の外観を示す。
図１に示すように、本実施形態に係る玄関Ｅには、アルコープＥ１が形成されている。
玄関ドアＥ２は、このアルコープＥ１の奥に設置されている。
そして、アルコープＥ１には、アルコープＥ１の入り口から、玄関ドアＥ２に向けて上昇するように形成された斜面Ｅ３が形成されている。
この斜面Ｅ３の頂点（つまり、玄関ドアＥ２側端部）の高さは、室内玄関床部Ｅ４の床面とほぼ面一となるように設定されている。
つまり、当該斜面Ｅ３が形成されていることにより、斜面Ｅ３と室内玄関床部Ｅ４との間に段差が形成されることが回避される構造をとっている。
【００１９】
また、斜面Ｅ３の玄関ドアＥ２側端部と玄関ドアＥ２の下方との間には、凹溝Ｅ５が形成されており、この凹溝Ｅ５には、樋状の排水溝Ｅ５１が配設される。
そして、この排水溝Ｅ５１の上方部は、排水溝蓋Ｅ６で被覆されている。
この排水溝蓋Ｅ６には、複数の水切り孔Ｅ６１が形成されており、雨水等の水分は、この水切り孔Ｅ６１から排水溝へと落下するように構成されている。なお、枯葉やごみといった物体は水切り孔６１から落下せずに、排水溝蓋Ｅ６上に濾しとられ、排除が容易となるよう構成されている。
そして、本実施形態に係る防水部材Ｓは、この凹溝Ｅ５に配設される。
以下、防水部材Ｓの構成及び配設位置について詳述する。
【００２０】
図２乃至図５に示すように、本実施形態に係る防水部材Ｓは塩化ビニルにより形成されており、第一部品１及び第二部品２を組合わせることにより構成されている。
本実施形態に係る第一部品１は、第一部品躯体内装部１Ａ、第一部品被接合部１Ｂ、を有して構成されている。
【００２１】
第一部品躯体内装部１Ａは、第一部品躯体内底面壁１１、第一部品躯体内側面壁１２，１２、第一部品躯体内後面壁１３、第一部品前面フランジ壁１４、を有して構成されている。
第一部品躯体内底面壁１１は、略矩形平板状であり、その両短辺（より詳しくは、間口の幅方向に離隔して対向する２辺）からは、第一部品躯体内側面壁１２，１２が、第一部品躯体内底面壁１１に対して略垂直に各々起立している。
また、第一部品躯体内後面壁１３は、第一部品躯体内底面壁１１の長辺のうち後面に配設される側から、第一部品躯体内底面壁１１に対して略垂直に起立している。
【００２２】
更に、第一部品躯体内底面壁１１及び第一部品躯体内側面壁１２，１２の前端部分からは、第一部品前面フランジ壁１４が延設されている。
つまり、第一部品前面フランジ壁１４は、第一部品躯体内底面壁１１及び第一部品躯体内側面壁１２，１２の前端部分に沿って延設される凹形状の壁体であり、換言すれば、第一部品躯体内底面壁１１の前端辺から垂直に垂下する平板部と、第一部品躯体内側面壁１２，１２の前端辺から垂直に外側方向へ延出する平板部と、で凹形状に形成された壁体である。
【００２３】
第一部品被接合部１Ｂは、第一部品被接合底面壁１５、第一部品被接合側面壁１６，１６、第一部品被接合係止側面壁１７，１７を有して構成されている。
第一部品被接合底面壁１５は、第一部品フランジ壁１４の下端辺から、前方側へ向けて略垂直に延設された略矩形平板状の部分である。
第一部品被接合側面壁１６，１６は、第一部品被接合底面壁１５の両短辺（より詳しくは、間口の幅方向に離隔して対向する２辺）からは、略垂直を成し前方へ向けて各々延設されている。
【００２４】
また、第一部品被接合係止側面壁１７，１７は、第一部品被接合側面壁１６，１６の直上に各々配設された、略Ｌ字形状の部分である。
つまり、第一部品被接合係止側面壁１７，１７は、第一部品被接合底面壁１５の両短辺（より詳しくは、間口の幅方向に離隔して対向する２辺）から、略垂直を成し前方へ向けて各々延設した後、外側へ更に垂直に延出した略Ｌ字形状の部分である。
【００２５】
本実施形態に係る第二部品２は、第二部品底面壁２１、第２部品側壁２２，２２、第二部品前面壁２３、第二部品フランジ部２４、を有して構成されている。
第二部品底面壁２１は、略矩形状の平板部であり、排水孔２１ａが形成されている。
第二部品側壁２２，２２は、第二部品底面壁２１の、両短辺（より詳しくは、間口の幅方向に離隔して対向する２辺）から、第二部品底面壁２１に対して略垂直に起立している。
【００２６】
また、第二部品前面壁２３は、第二部品底面壁２１の長辺のうち前面に配設される側から、第二部品底面壁２１に対して略垂直に起立している。
つまり、第二部品側壁２２，２２と第二部品前面壁２３は、第二部品底面壁２１の連続する３辺上から起立する、上面視略コ字形状の壁である。
【００２７】
また、第二部品フランジ部２４は、第二部品側壁２２，２２と第二部品前面壁２３の上端辺全周に沿って形成されたフランジ状の部分である。
つまり、第二部品フランジ部２４は、第二部品側壁２２，２２と第二部品前面壁２３の上端辺から、外側へ向けて各々に対し略垂直に屈曲した部分である。
このように構成されていることにより、一個の壁面が切り欠かれた有底筐体状の第二部品２が形成される。
【００２８】
以上のように構成された第一部品１と第二部品２とを組合わせることによって、防水部材Ｓは構成される。
つまり、本実施形態に係る防水部材Ｓは、第一部品躯体内底面壁１１を第二部品底面壁２１上に載置するとともに、第一部品被接合側面壁１６，１６を第二部品側壁２２，２２の内側面へ圧接させた状態に組付けられる。
つまり、第一部品被接合底面壁１５の間口方向長さは、第二部品底面壁２１の開口方向長さとほぼ同一（若しくは、若干小さくなる程度）に形成されている。
【００２９】
換言すれば、第一部品被接合側面壁１６，１６間の距離は、第二部品側壁２２，２２間の距離とほぼ同一（若しくは、若干小さくなる程度）に形成されており、よって、一部品被接合側面壁１６，１６は第二部品側壁２２，２２間に嵌合（突っ張り係止）されるとともに、当該部分が溶着されて、この結果、第一部品１は第二部品２に組付けられる。
そして、第二部品フランジ部２４の後面側端部２４ａ，２４ａは、第一部品被接合係止側面壁１７，１７に各々当接しており、位置決めが行われることとなる。
なお、例えば、切れ目Ｋ１により、第一部品１を分割して構成していれば、第一部品１の間口方向長さを調整することができる。
【００３０】
このように構成されている場合には、図５（ａ）に示すように、当該切れ目Ｋ１部分は当接後、防水テープＫ２等で止水処理を行うとよい。
なお、比較のため、図５（ｂ）には、切れ目Ｋ１が無い部分の断面を示している。
また、防水テープＫ２としては、第一部品被接合側面壁１６等を形成した際の切れ端が使用されていてもよく、切れ目を塞いで溶着固定されるとよい。
【００３１】
なお、図４により、本実施形態に係る第一部品１の作成方法について説明する。
完成前においては、第一部品被接合部１Ｂを構成する第一部品被接合底面壁１５と、第一部品被接合側面壁１６，１６と、第一部品被接合係止側面壁１７，１７と、は分割されておらず、凹形状のフランジ状に形成されている。
本実施形態に係る第一部品１は、樹脂で形成されており、特に、本例では塩化ビニル樹脂が使用されている。
【００３２】
よって、図４のＰ１，Ｐ２，Ｐ３の位置に切り込みを入れて、前方へと起こすことにより、完成品の第一部品１が形成される。
つまり、Ｐ１，Ｐ１とＰ２，Ｐ２の切り込みの間を前方に折り起こした部位が、第一部品被接合側面壁１６，１６となる。
更に、Ｐ３，Ｐ３間を前方に折り起こした部位が、第一部品被接合底面壁１５となる。
なお、本実施形態においては、除去部Ｑ，Ｑ（格子掛部分）が除去される。
【００３３】
このように、構成された第一部品１は、第二部品２と組み合されて、防水部材Ｓとして機能することとなる。
そして、防水部材Ｓは、図６に示すように、玄関内部から玄関ドアＥ２の下部を通り、アルコープＥ１にわたり配置されることになる。
前述の通り、本実施形態に係る玄関ドアＥ２は、このアルコープＥ１の奥に設置されており、アルコープＥ１には、アルコープＥ１の入り口から、玄関ドアＥ２に向けて上昇するように形成された斜面Ｅ３が形成されている。
そして、斜面Ｅ３の玄関ドアＥ２側端部と玄関ドアＥ２の下方との間には、凹溝Ｅ５が形成されている。
【００３４】
具体的には、第一部品１は、室内玄関床部Ｅ４の端部から、玄関ドアＥ２下方に設置される沓摺部材Ｅ２１の下方を通り、凹溝Ｅ５まで延出している。
更に具体的に説明すると、第一部品躯体内後面壁１３は、室内玄関床部Ｅ４の端部に沿って起立し、第一部品躯体内底面壁１１は、沓摺部材Ｅ２１の下方面に対向するように水平方向へ延びている。
【００３５】
また、第一部品前面フランジ壁１４は、第一部品躯体内底面壁１１の前方側端部から垂下する。なお、この第一部品前面フランジ壁１４の下端辺は凹溝Ｅ５の底面部の高さ付近まで垂下している。
そして、第一部品被接合底面壁１５は、第一部品前面フランジ壁１４の下端辺から凹溝Ｅ５の底面部に向けて水平方向に延びている。
【００３６】
また、第二部品フランジ部２４は、斜面Ｅ３の玄関ドアＥ２側端部上方面に載置されるとともに、第二部品前面壁２３は、斜面Ｅ３の玄関ドアＥ２側端部側面に沿って垂下する。
なお、第二部品底面壁２１の下端辺は凹溝Ｅ５の底面部の高さ付近まで垂下している。
更に、第二部品底面壁２１は、第二部品前面壁２３の下端辺から、玄関ドアＥ２に向けて、凹溝Ｅ５の底面部に向けて水平方向に延びている。
【００３７】
また、このとき、前述の通り、第二部品底面壁２１には、第一部品被接合底面壁１５が載置された状態となっている。
凹溝Ｅ５の内壁面には、防水シートが配設されており、この防水シート上に、防水部材Ｓが配置されることとなる。そして、この防水部材Ｓの上に排水溝Ｅ５１が配置され、その上方部は排水溝蓋Ｅ６で被覆される。
このように、防水部材Ｓにより、斜面Ｅ３の玄関側端部と玄関ドアＥ２下端部間に形成される凹溝Ｅ５付近を有効に防水することが可能となる。
【符号の説明】
【００３８】
Ｓ  防水部材
１  第一部品
１Ａ  第一部品躯体内装部
１１  第一部品躯体内底面壁
１２  第一部品躯体内側面壁
１３  第一部品躯体内後面壁
１４  第一部品前面フランジ壁
１Ｂ  第一部品被接合部
１５  第一部品被接合底面壁
１６  第一部品被接合側面壁
１７  第一部品被接合係止側面壁
２  第二部品
２１  第二部品底面壁
２１ａ  排水孔
２２  第二部品側壁
２３  第二部品前面壁
２４  第二部品フランジ部
２４ａ  後面側端部
Ｅ  玄関
Ｅ１  アルコープ
Ｅ２  玄関ドア
Ｅ２１  沓摺部材
Ｅ３  斜面
Ｅ４  室内玄関床部
Ｅ５  凹溝
Ｅ５１  排水溝
Ｅ６  排水溝蓋
Ｅ６１  水切り孔
Ｇ  出入口下端
Ｋ１  切れ目
Ｋ２  防水テープ
Ｐ１，Ｐ２，Ｐ３  切り込み位置
Ｑ  除去部
【図１】
2015135007.tif 000003
【図２】
2015135007.tif 000004
【図３】
2015135007.tif 000005
【図４】
2015135007.tif 000006
【図５】
2015135007.tif 000007
【図６】
2015135007.tif 000008